(57)【要約】【課題】  安価で携帯性を有し、睡眠を誘引しやすくする鼓動を奏でる睡眠補助具を提供する。【解決手段】  睡眠補助具は、胸にあてたり手に握ったりする疑似鼓動体20であって、疑似鼓動体20は、振動板により支持された重りを電磁コイルにより吸着して疑似鼓動を奏でる振動部と、スタートＳＷ26と、スタートＳＷ26の操作により前記振動部を制御する制御部と、を内蔵して備える。【選択図】  図１
2014176475.tif 000002
【特許請求の範囲】
【請求項１】
胸にあてたり手に握ったりする疑似鼓動体であって、
前記疑似鼓動体は、
振動板により支持された重りを電磁コイルにより吸着して疑似鼓動を奏でる振動部と、
スタートＳＷと、
前記スタートＳＷの操作により前記振動部を制御する制御部と、
を内蔵して備えることを特徴とする睡眠補助具。
【請求項２】
前記制御部は、前記疑似鼓動として、前記電磁コイルへの通電を短時間に２回行って１回の鼓動とする制御を行うことを特徴とする請求項１に記載の睡眠補助具
【請求項３】
前記制御部は、前記振動部を制御して、最初は鼓動間隔を短く制御し、徐々に鼓動間隔を長く制御して前記疑似鼓動を奏でることを特徴とする請求項１又は請求項２に記載の睡眠補助具。
【請求項４】
前記制御部は、前記振動部を制御して、前記疑似鼓動を所定時間、奏でてから停止させることを特徴とする請求項１乃至請求項３の何れかに記載の睡眠補助具。
【請求項５】
前記疑似鼓動体が電池を備えることを特徴とする請求項１乃至請求項４の何れかに記載の睡眠補助具。
【請求項６】
更に前記疑似鼓動体を装填可能な袋体を備えることを特徴とする請求項１乃至請求項５の何れかに記載の睡眠補助具。
【請求項７】
前記袋体が、動物を模ったポーチからなることを特徴とする請求項６に記載の睡眠補助具。
【発明の詳細な説明】
【技術分野】
【０００１】
本発明は、睡眠に役立つ睡眠補助具に関する。
【背景技術】
【０００２】
従来から乳幼児の睡眠を促進するための寝具が提供されており、例えば、乳幼児を寝かせる際に体を横向きに優しく保護して睡眠を促進する器具がある。また、近年は、年齢を問わず不眠に悩む人が増えており、これらの人の睡眠を促進するための寝具も提供されている。
【０００３】
具体的には、敷布団の内部に振動部材を設けて自在な速度で振動を可能として安眠状態に導く寝具や、ベッド周囲でリラックスさせる香りを発散させる寝具、さらには、スピーカや安眠のための照明装置を設けた寝具などが提案されている。
【０００４】
下記に示す特許文献１には、使用者に適宜の振動を付与する振動付与装置と、香り成分をベッド本体の周囲に発生させる香発生装置と、脈波検出センサと、スピーカと、照明装置と、を有する睡眠制御装置をベッド本体に搭載させ自宅で快適な睡眠を得るものであって、睡眠の深さの良好なサイクルを実現することができ、肉体疲労と脳の疲労との双方を確実に回復させてバランスのとれた理想的かつ良好な静養を得る寝具が開示されている。
【先行技術文献】
【特許文献】
【０００５】
【特許文献１】特開２００５―２７０４０１号公報
【発明の概要】
【発明が解決しようとする課題】
【０００６】
しかしながら、特許文献１の寝具は、寝具自体に振動付与装置や香発生装置、さらに脈波検出センサ、スピーカ、及び照明装置等を有するものであるから高価であり、しかも自宅で快適な睡眠を得るためのものであって、例えば移動中、又は旅先等で使用できるものではなかった。
【０００７】
そこで本発明は、上述したような従来技術の問題点に鑑みてなされたものであり、安価で携帯性を有し、睡眠を誘引しやすくする鼓動を奏でる睡眠補助具を提供することを目的としている。
【課題を解決するための手段】
【０００８】
本発明の睡眠補助具は、胸にあてたり手に握ったりする疑似鼓動体であって、前記疑似鼓動体は、振動板により支持された重りを電磁コイルにより吸着して疑似鼓動を奏でる振動部と、スタートＳＷと、前記スタートＳＷの操作により前記振動部を制御する制御部と、を内蔵して備えることを特徴とする。
【０００９】
好適には、前記制御部は、前記疑似鼓動として、前記電磁コイルへの通電を短時間に２回行って１回の鼓動とする制御を行うものである。
【００１０】
好適には、前記制御部は、前記振動部を制御して、最初は鼓動間隔を短く制御し、徐々に鼓動間隔を長く制御して前記疑似鼓動を奏でる。
【００１１】
好適には、前記制御部は、前記振動部を制御して、前記疑似鼓動を所定時間、奏でてから停止させる。
【００１２】
好適には、前記疑似鼓動体が電池を備えるものである。
【００１３】
好適には、前記疑似鼓動体を装填可能な袋体を備えることもある。
【００１４】
好適には、前記袋体が、動物を模ったポーチからなることもある。
【発明の効果】
【００１５】
本発明によれば、安価で携帯性を有し、睡眠を誘引しやすくする鼓動を奏でる睡眠補助具を提供することができる。
【００１６】
そして、本発明によれば、前記疑似鼓動として、前記電磁コイルへの通電を短時間に２回行って１回の鼓動とする心拍動作に類似した疑似鼓動を実現させることができる。
【００１７】
さらに、本発明によれば、通常心拍音の速度から徐々に低速度に落として鼓動を発生させることにより、寝床に入ると徐々に眠気を誘発させ、睡眠、熟睡を促進、又は、補助することができる。
【００１８】
また、本発明によれば、使用者が直ちに睡眠してしまっても、所定時間経過後に自動で停止するようにすれば消費電流を軽減させることができる。
【００１９】
そして、本発明によれば、電池電源を駆動源とすることにより、携帯性に優れ、使用形態に制限を受けず、いかなる場所でも使用することができる。
【００２０】
さらに、本発明によれば、前記疑似鼓動体を装填可能な袋体を備えることにより、ソフト感や弾力性があって、肌触りのよいものとされて肌身離さず使用するのに効果的である。
【００２１】
また、本発明によれば、袋体を愛らしい動物等を模ったポーチ等とすることにより、就寝時に抱き枕かのように抱きついたり、ぬいぐるみかのように握ったりして、就寝しやすくするのに有効である。
【図面の簡単な説明】
【００２２】
【図１】本発明の実施形態に係る睡眠補助具の疑似鼓動体の外観を示す斜視図である。
【図２】本発明の実施形態に係る睡眠補助具の袋体の外観を示す斜視図である。
【図３】本発明の実施形態に係る睡眠補助具の疑似鼓動体の内部構造を示す図である。
【図４】本発明の実施形態に係る睡眠補助具の疑似鼓動体の電池蓋を外したときの外観側面図である。
【図５】本発明の実施形態に係る睡眠補助具の疑似鼓動体の内部構造を示す図である。
【図６】本発明の実施形態に係る睡眠補助具の回路図である。
【図７】本発明の実施形態に係る睡眠補助具の疑似鼓動のタイミングチャートである。
【発明を実施するための形態】
【００２３】
以下、本発明の実施形態を図に基づいて詳説する。なお、本発明の睡眠補助具100は、図１に示す薄厚の卵形状をした疑似鼓動体20の大きめの円形の押圧ボタンであるスタートＳＷ26を配備する側を上方とし、電池蓋24を配備する側を下方として説明する。
【００２４】
本発明の睡眠補助具100は、疑似鼓動体20が心拍音及び心拍動作を想像させる疑似鼓動を発生させる振動発生機能を有するものである。そして、睡眠補助具100は、使用者が疑似鼓動体20を胸にあてたり手に握ったりして用いるものである。また、睡眠補助具100は、使用者が疑似鼓動体20をファスナー11を有する袋体10の中に収納し、疑似鼓動体20を収納した袋体10を胸にあてたり握ったりして使用するようにしても構わない。
【００２５】
袋体10は、図２に示すように外皮を羊や熊等の動物を模したポーチとされており、外皮内にクッション性のある充填材を収容して動物のような感触にしており、使用者が手で持ったり握ったり、触ったりすることのできるものとしてある。
【００２６】
なお、袋体10は、使用者が握って安心できる形状、感触、サイズであることが望ましく、例えば、素材としては綿・絹・フランネル素材・フリース素材・フェルト素材といったソフト感のあるもの、ゴム・樹脂といった弾力性のあるもの等の肌触りのよいものが好ましい。
【００２７】
疑似鼓動体20は、図１に示したように硬質樹脂製の筐体21に覆われて手のひらサイズの薄厚の卵形状をしたものであって、疑似鼓動体20の上面には、袋体10に収納されていても容易に押圧可能とする大きめの円形の押圧ボタンであるスタートＳＷ26を設け、疑似鼓動体20の下面には、図３、図４に示すようにボタン電池であるＬＲ４４の一次電池30を３個内部に装着可能とする電池収納部を露出させるための着脱可能な電池蓋24と、睡眠補助具100を作動可能とするとともに、消費電力を軽減させるためのスライド式のＯＮ／ＯＦＦスイッチである電源ＳＷ25と、を設けてある。
【００２８】
なお、電池は、一次電池に限定されず、例えば、充電式の二次電池や大容量のコンデンサ、又は太陽電池等としても構わず、更には疑似鼓動体20がＡＣ電源を装着可能として、二次電池等の充電、又は、疑似鼓動体20への直接電力供給用に利用可能とするようにしても構わない。
【００２９】
また、疑似鼓動体20は、心拍音及び心拍動作を想像させる疑似鼓動を発生させるものであって、振動発生機能を駆動源である図５に示す電磁コイル32により、先端に重り36を有する金属製板状の弾性体であるＬ字型の振動板35の重り36を吸い寄せることにより下方に作動させ、短時間で直ちに吸い寄せを解除することにより重り36の振動を発生させている。
【００３０】
具体的には、電磁コイル32は、通電したときにＬ字型の振動板35を吸い寄せ、通電を断てば吸引力は消滅して吸い寄せた弾性体である振動板35が復帰動作をして重り36が振動することとなる。
【００３１】
これにより、疑似鼓動体20は、重り36の振動が睡眠補助具100全体に振動を与えることとなる。そして、この振動動作を短時間で連続的に２回実行することにより、１回の心拍動作である「ドドッ、ドドッ」の疑似鼓動の振動を実現することができる。
【００３２】
次に、睡眠補助具100の回路構成について図を用いて説明する。図６は、本発明に係る睡眠補助具100の回路図である。
【００３３】
睡眠補助具100の疑似鼓動体20は、図５に示すように内部に基板34を設けており、基板34には、図６に示すように制御部とするＣＰＵ40や発振回路43、コイル駆動部41である半導体スイッチング素子やコンデンサ、抵抗等が実装されている。また、機構部品である電源ＳＷ25、スタートＳＷ26、振動部31の電磁コイル32や一次電池30用の電源端子等も直接、又は、リード線等を介して基板34に回路接続されている。
【００３４】
ＣＰＵ40は、睡眠補助具100の所定の動作を実行可能とする制御プログラムが格納されたＲＯＭ及びワークエリアとしてのＲＡＭ等のメモリを備え、更に、所定の基準時間の生成、及び、所定の時間で割込み処理を可能とするタイマー機能を有しており、これらの機能により、時間カウントや、インターバル時間の計測等を実行しながら睡眠補助具100の所定の動作を実行させるものである。
【００３５】
なお、電源ＳＷ25のＯＦＦ側の端子には、電源間に設けた電源安定化用のコンデンサに残留された電荷を電源オフと同時に速やかに放電させて不安定電圧によるＣＰＵ40の誤動作を防止するための３００Ω程度の放電抵抗がＧＮＤ間に直列に配置されている。
【００３６】
次に、睡眠補助具100の動作について回路図、タイミングチャートを用いて詳説する。図７は、睡眠補助具100の行う疑似鼓動のタイミングチャートである。
【００３７】
睡眠補助具100の疑似鼓動体20は、図６の回路図に示したように電源ＳＷ25をＯＮ側へとスライドされると、ＣＰＵ40、電磁コイル32、発振回路43、スタートＳＷ26等の回路の所定箇所に電源を供給されることとなる。
【００３８】
なお、睡眠補助具100の疑似鼓動体20は、電源ＳＷ25をＯＦＦ側へとスライドされた状態であれば、回路の所定箇所への電源供給がされず、電池電源のエネルギーを不要に消費することがない。また、睡眠補助具100は、例えば、電源ＳＷ25がＯＮ側へとスライドされた状態であっても、スタートＳＷ26を介してＣＰＵ40に作動信号を入力するため、ＣＰＵ40をスタンバイモード等の低消費電力モードとして駆動させることにより、消費電流を軽減させることとしている。
【００３９】
そして、スタンバイモードのＣＰＵ40は、図１に示した疑似鼓動体20の上面に配備したスタートＳＷ26を押下されることにより、基準クロックを高速とさせてスタンバイモードからアクティブモードとさせる。
【００４０】
アクティブモードに遷移したＣＰＵ40は、本発明の睡眠補助具100による誘眠へと誘う心拍動作の疑似鼓動を作動させる制御プログラムを実行する。
【００４１】
先ず、ＣＰＵ40は、図７に示すように、最初の４分間を３０回／分、すなわち日常生活状態の心拍数より遅い周期である２秒に１回の割合の周期Ｔ１でｔ１として４．１ｍｓの通電を２回行って疑似鼓動とするべく、時間カウント及び電磁コイル32への通電制御を行う。つまり、ＣＰＵ40は、タイマー機能で２秒をカウントし、２秒経過毎に電磁コイル32に通電すべく通電時間ｔ１として４．１ｍｓだけ出力ポートＰ０２をＨｉｇｈとして、電磁コイル32を通電させるコイル駆動部41であるトランジスタ等のスイッチング半導体素子を制御して電磁コイル32に短時間の通電を行った後、出力ポートＰ０２をＬｏｗに戻し、更に約２３６ｍｓの間隔時間ｔ２の後にあらためて電磁コイル32に通電すべく４．１ｍｓの通電時間ｔ１だけ出力ポートＰ０２をＨｉｇｈとした後にＬｏｗに戻して、電磁コイル32を２回通電する処理により１回の心拍音とした疑似鼓動を４分間継続して行い、この間２秒に１回の疑似鼓動を行う。
【００４２】
そして、ＣＰＵ40は、２秒に１回の疑似鼓動の後に、次の４分間を２０回／分、すなわち穏やかなリズムとされる３秒に１回の割合で通電時間ｔ１の通電を２回行って疑似鼓動とするべく、時間カウント及び電磁コイル32への通電制御を行う。つまり、ＣＰＵ40は、タイマー機能で３秒をカウントし、３秒経過毎に電磁コイル32に通電すべく通電時間ｔ１だけ出力ポートＰ０２をＨｉｇｈとして、電磁コイル32を通電させるコイル駆動部41であるトランジスタ等のスイッチング半導体素子を制御して電磁コイル32に短時間の通電を行った後、出力ポートＰ０２をＬｏｗに戻し、更に間隔時間ｔ２の後にあらためて電磁コイル32に通電すべく通電時間ｔ１だけ出力ポートＰ０２をＨｉｇｈとした後にＬｏｗに戻して、電磁コイル32を２回通電する処理を４分間継続して行い、この間３秒に１回の疑似鼓動を行う。
【００４３】
ＣＰＵ40は、３秒に１回の疑似鼓動の後に、同様な処理で４秒に１回の割合で４分間の疑似鼓動、続けて５秒に１回の割合で４分間の疑似鼓動の処理を行い、最後の４分間を１０回／分、すなわち睡眠を誘引させる心地よいリズムである６秒に１回の割合とした周期Ｔ５で通電時間ｔ１の通電を２回行って疑似鼓動とするべく、時間カウント及び電磁コイル32への通電制御を行う。つまり、ＣＰＵ40は、タイマー機能で６秒をカウントし、６秒経過毎に電磁コイル32に通電すべく通電時間ｔ１だけ出力ポートＰ０２をＨｉｇｈとして、電磁コイル32を通電させるコイル駆動部41であるトランジスタ等のスイッチング半導体素子を制御して電磁コイル32に短時間の通電を行った後、出力ポートＰ０２をＬｏｗに戻し、更に間隔時間ｔ２の後にあらためて電磁コイル32に通電すべく通電時間ｔ１だけ出力ポートＰ０２をＨｉｇｈとした後にＬｏｗに戻して、電磁コイル32を２回通電する処理を４分間継続して行い、この間６秒に１回の疑似鼓動を行った後に２０分経過したことをうけて疑似鼓動を停止させ、あらためて、ＣＰＵ40はアクティブモードからスタンバイモードへとモードを変更させる。
【００４４】
なお、４分毎に疑似鼓動の周期を低速化する構成に限らず、例えば、１分毎に小刻みに疑似鼓動の周期を低速化したり、１０分毎に２段階で疑似鼓動の周期を低速化するなどして、安眠を促すようにしても構わない。
【００４５】
なお、一旦作動した疑似鼓動は、再度、スタートＳＷ26を押下されても疑似鼓動の作動は再始動や停止することなく、作動時間Ｔａｌｌの２０分間作動した後に停止することとすれば、誤操作による作動しっぱなし等を防止できる。
【００４６】
さらに、疑似鼓動の作動時間Ｔａｌｌは２０分間に限定することなく、例えば、１０分から３０分程の間で個人の睡眠に至るまでの時間に応じて適宜用意しても構わない。
【００４７】
なお、睡眠補助具100は、所定時間で疑似鼓動を停止させる構成に限定されず、例えば、スタートＳＷを省略して、電源ＳＷのＯＮ／ＯＦＦで動作、停止を行うようにすれば、疑似鼓動体20を簡単な構成とすることができる。この場合は１分に３０回程度の疑似鼓動から数分毎に疑似鼓動間隔を長くし、１分間に１０回程度まで鼓動速度を遅くしてスタートＳＷとする電源ＳＷがオフ状態とされるまで疑似鼓動を継続させるものである。
【００４８】
さらに、本実施形態の睡眠補助具100の袋体10は小型なポーチとしてきたが、それに限定されず、例えば、枕やぬいぐるみ等による大きな袋体として、疑似鼓動体を挿入可能なようにしても構わない。これにより、睡眠時に枕元で、又はぬいぐるみ等を抱きかかえる人に対して効果的に利用されるものとすることができる。
【００４９】
以上のように本実施形態によれば、安価で携帯性を有し、睡眠を誘引しやすくする鼓動を奏でる睡眠補助具100を提供することができる。
【００５０】
そして、本実施形態によれば、疑似鼓動として、電磁コイル32への通電を短時間に２回行って１回の鼓動とする心拍動作に類似した疑似鼓動をさせることができる。
【００５１】
さらに、本実施形態によれば、通常心拍音の速度から徐々に低速度に落として鼓動を発生させることにより、寝床に入ると徐々に眠気を誘発させ、睡眠、熟睡を促進、又は、補助することができる。
【００５２】
また、本実施形態によれば、使用者が直ちに睡眠してしまっても、所定時間経過後に自動で停止するようにすれば消費電流を軽減させることができる。
【００５３】
そして、本実施形態によれば、電池電源を駆動源とすることにより、携帯性に優れ、使用形態に制限を受けず、いかなる場所でも使用することができる。
【００５４】
さらに、本実施形態によれば、疑似鼓動体20を装填可能な袋体10を備えることにより、ソフト感や弾力性があって、肌触りのよいものとされて肌身離さず使用するのに効果的である。
【００５５】
また、本実施形態によれば、袋体10を愛らしい動物等を模ったポーチ等とすることにより、就寝時に抱き枕かのように抱きついたり、ぬいぐるみかのように握ったりして、就寝しやすくするのに有効である。
【符号の説明】
【００５６】
１０    袋体                              １１    ファスナー
２０    疑似鼓動体                        ２１    筐体
２４    電池蓋                            ２５    電源ＳＷ
２６    スタートＳＷ
３０    電池                              ３１    振動部
３２    電磁コイル                        ３４    基板
３５    振動板                            ３６    重り
４０    ＣＰＵ                            ４１    コイル駆動部
４３    発振回路
１００  睡眠補助具
【図１】
2014176475.tif 000003
【図２】
2014176475.tif 000004
【図３】
2014176475.tif 000005
【図４】
2014176475.tif 000006
【図５】
2014176475.tif 000007
【図６】
2014176475.tif 000008
【図７】
2014176475.tif 000009